(57)【要約】【課題】デジタルチューナによりデジタル放送を受信する方式と、基地局装置を介して該デジタル放送を受信する方式との切替が行われる場合に、視聴できない時間を短縮すること。【解決手段】基地局装置は、配信されるデジタル放送に対応するデジタルデータを蓄積する手段と、デジタルデータを蓄積する手段に蓄積されたデジタルデータを、端末装置に送信する手段と、送信する手段の送信するデジタルデータの送信遅延時間を制御する手段とを有する。送信遅延時間を制御する手段は、端末装置により送信された要求信号に基づいて、当該端末装置が受信していたデジタル放送と連続するように、前記デジタルデータに対する遅延時間を制御する。【選択図】図３
2009272686.tif 000002
【特許請求の範囲】
【請求項１】
配信されるデジタル放送に対応するデジタルデータを蓄積する手段と、
前記デジタルデータを蓄積する手段に蓄積されたデジタルデータを、端末装置に送信する手段と、
前記送信する手段により送信されるデジタルデータの送信遅延時間を制御する手段と
を有し、
前記送信遅延時間を制御する手段は、前記端末装置により送信された要求信号に基づいて、当該端末装置が受信していたデジタル放送と連続するように、前記デジタルデータに対する遅延時間を制御する無線通信装置。
【請求項２】
請求項１に記載の無線通信装置において、
前記要求信号には、デジタル放送の回線が切断された時刻を示す情報が含まれ、
前記送信遅延時間を制御する手段は、前記要求信号を受信した時刻と、前記要求信号に含まれるデジタル放送の回線が切断された時刻を示す情報とに基づいて、前記デジタルデータに対する遅延時間を求める無線通信装置。
【請求項３】
請求項１又は２に記載の無線通信装置において、
前記端末装置は、当該基地局装置に、受信したデジタルデータに基づいて、コンテンツ以外のデジタルデータを検出したことを示すコンテンツ中断信号を送信し、
前記送信遅延時間を制御する手段は、前記端末装置により通知されたコンテンツ中断信号に基づいて該コンテンツ以外のコンテンツが提供される時間を求め、該コンテンツ以外のコンテンツが提供される時間に基づいて、遅延時間を制御する無線通信装置。
【請求項４】
端末装置が、デジタル放送を受信する手段における受信状態を監視するステップと、
前記端末装置が、前記監視するステップにおいて、前記デジタル放送を受信できないと判断された場合に、基地局装置にデジタルデータの要求信号を送信するステップと、
前記基地局装置が、前記端末装置により送信された要求信号を受信するステップと、
前記基地局装置が、前記デジタル放送に対応するデジタルデータを蓄積するステップと、
前記基地局装置が、前記デジタルデータを蓄積するステップにおいて蓄積されたデジタルデータの送信遅延時間を制御するステップと、
前記基地局装置が、前記デジタルデータを、前記端末装置に送信するステップと
を有し、
前記送信遅延時間を制御するステップは、前記端末装置により送信された要求信号に基づいて、当該端末装置が受信していたデジタル放送と連続するように、前記デジタルデータに対する遅延時間を制御する方法。
【発明の詳細な説明】
【技術分野】
【０００１】
本発明は、移動体通信システムに関する。
【背景技術】
【０００２】
デジタル放送の受信手段を有する携帯端末が存在する。ここで、携帯端末には、携帯電話が含まれる。この携帯端末の利用者は移動しながら、該受信手段により受信するデジタル放送を視聴する。たとえば、デジタル放送は、放送局により送信される。従って、デジタル放送の受信状態が良好でない場所では、電波が途切れ、該デジタル放送を受信できなくなる場合もある。
【０００３】
このような問題に対して、携帯端末にてデジタル放送視聴中に放送の受信状態が悪化した場合でも、通信網を経由して基地局装置から該デジタル放送に含まれるコンテンツを受信することができるデジタル放送受信システムがある。通信網には、携帯電話網が含まれてもよい。
【０００４】
例えば、携帯端末は、デジタルチューナによるデジタル放送の受信状態と受信装置による通信網を経由して基地局装置により送信されるデジタル放送のコンテンツの受信状態とを監視（モニタ）する。そして、携帯端末は、両受信状態に基づいて、デジタルチューナによる受信と受信装置による受信とを切り替える。
【特許文献１】特開2007-5946号公報
【特許文献２】特開2005-260758号公報
【発明の開示】
【発明が解決しようとする課題】
【０００５】
デジタル放送をデジタルチューナで直接受信し、該受信状態を監視している途中で、電波障害等により該デジタル放送を受信できなくなった場合には、受信装置による受信に切り替えられる。その結果、携帯端末は、基地局装置により送信されるデジタル放送に対応するデジタルデータを受信する。
【０００６】
携帯端末によりデジタル放送を視聴する場合、デジタルチューナにおける受信品質が監視される。例えば、受信品質には受信電界強度が含まれてもよい。
【０００７】
このように、デジタルチューナによる受信から受信装置による受信に切り替えられる場合の処理フローについて、図１及び図２を参照して説明する。
【０００８】
携帯端末は、デジタルチューナにより、デジタル放送を受信する（ステップＳ１０２）。
【０００９】
携帯端末は、デジタルチューナにおいて回線切断が検出されたかを判断する（ステップＳ１０４）。回線切断が検出されない場合（ステップＳ１０４：ＮＯ）、ステップＳ１０２に戻る。携帯端末は、デジタル放送の受信を継続して行う。一方、回線切断が検出された場合（ステップＳ１０４：ＹＥＳ）、携帯端末は、基地局装置に対して要求信号を送信する（ステップＳ１０６）。例えば、図２に示すように、携帯端末は、ある時間から３５秒経過後に、デジタルチューナにおける回線切断を検出し、要求信号を送信する。
【００１０】
基地局装置は、携帯端末により送信された要求信号を受信する（ステップＳ１０８）。基地局装置は、携帯端末により送信された要求信号を受信すると、該携帯端末が受信していたデジタル放送に対応するデジタルデータを配信する（ステップＳ１１０）。例えば、デジタルデータには、パケットデータが含まれる。
【００１１】
携帯端末は、基地局により送信されたデジタルデータを受信する（ステップＳ１１２）。例えば、図２に示すように、携帯端末は、４５秒後から、基地局装置により送信されるデジタルデータを受信する。携帯端末は、デジタルチューナにおいて回線復帰を検出したかを判断する（ステップＳ１１４）。デジタルチューナの回線復帰を検出しない場合（ステップＳ１１４：ＮＯ）、ステップＳ１１２に戻る。そして、携帯端末は、基地局装置により送信されるデジタルデータの受信を継続する。一方、デジタルチューナの回線復帰を検出した場合（ステップＳ１１４：ＹＥＳ）、携帯端末は、デジタルデータからデジタル放送に回線切替を行う（ステップＳ１１６）。例えば、図２に示すように、携帯端末は、１１０秒後から、デジタルデータからデジタル放送に回線切替を行う。携帯端末は、基地局装置に対して、デジタルデータの送信を停止させるための停止信号を送信する（ステップＳ１１８）。
【００１２】
基地局装置は、携帯端末により送信された停止信号を受信する。そして、基地局装置は、携帯端末に対してデジタルデータの送信を停止する（ステップＳ１２０）。
【００１３】
携帯端末において、デジタルチューナによりデジタル放送を受信し、該デジタル放送を再生する方式（以下、デジタル放送再生方式と呼ぶ）から基地局装置を介してデジタル放送に対応するデジタルデータを受信し、該デジタルデータを再生する方式（以下、デジタルデータ再生方式と呼ぶ）に切り替える制御が行われる場合には、携帯端末において、デジタル放送の回線が切断されてから、送信した要求信号に対する基地局装置からのデジタルデータを受信するまでの時間、携帯端末において視聴できるデジタル放送が途切れる。例えば、図２に示すように、携帯端末は、３５秒から４５秒の間のデジタル放送を受信できない。従って、ユーザは、３５秒から４５秒の間のデジタル放送を視聴できない。
【００１４】
そこで、本発明は上述した問題点の少なくとも１つを解決するためになされたものであり、デジタルチューナにより受信されたデジタル放送を再生する方式と、基地局装置を介して受信された該デジタル放送に対応するデジタルデータを再生する方式との切替が行われる場合に、視聴できない時間を短縮することができる無線通信装置及びシステム並びに方法を提供することにある。
【課題を解決するための手段】
【００１５】
上記課題を解決するため、この本無線通信装置は、
配信されるデジタル放送に対応するデジタルデータを蓄積する手段と、
前記デジタルデータを蓄積する手段に蓄積されたデジタルデータを、端末装置に送信する手段と、
前記送信する手段により送信されるデジタルデータの送信遅延時間を制御する手段と
を有し、
前記送信遅延時間を制御する手段は、前記端末装置により送信された要求信号に基づいて、当該端末装置が受信していたデジタル放送と連続するように、前記デジタルデータに対する遅延時間を制御する。
【００１６】
本方法は、
端末装置が、デジタル放送を受信する手段における受信状態を監視するステップと、
前記端末装置が、前記監視するステップにおいて、前記デジタル放送を受信できないと判断された場合に、基地局装置にデジタルデータの要求信号を送信するステップと、
前記基地局装置が、前記端末装置により送信された要求信号を受信するステップと、
前記基地局装置が、前記デジタル放送に対応するデジタルデータを蓄積するステップと、
前記基地局装置が、前記デジタルデータを蓄積するステップにおいて蓄積されたデジタルデータの送信遅延時間を制御するステップと、
前記基地局装置が、前記デジタルデータを、前記端末装置に送信するステップと
を有し、
前記送信遅延時間を制御するステップは、前記端末装置により送信された要求信号に基づいて、当該端末装置が受信していたデジタル放送と連続するように、前記デジタルデータに対する遅延時間を制御する。
【発明の効果】
【００１７】
開示の無線通信装置及びシステム並びに方法によれば、デジタルチューナにより受信されたデジタル放送を再生する方式と、基地局装置を介して受信された該デジタル放送に対応するデジタルデータを再生する方式との切替が行われる場合に、視聴できない時間を短縮することができる。
【発明を実施するための最良の形態】
【００１８】
次に、本発明を実施するための最良の形態を、以下の実施例に基づき図面を参照しつつ説明する。
【００１９】
なお、実施例を説明するための全図において、同一機能を有するものは同一符号を用い、繰り返しの説明は省略する。
（第１の実施例）
本実施例に係るシステムについて、図３を参照して説明する。本実施例に係るシステムは、端末装置に対して、デジタル放送を配信するシステムである。該システムは、端末装置１００を有する。端末装置１００には、携帯電話が含まれるようにしてもよい。
【００２０】
本実施例に係る端末装置１００は、デジタルチューナ１０２を有する。デジタルチューナ１０２は、後述するコンテンツ配信装置３００により送信されたデジタル放送を受信する。そして、デジタルチューナ１０２は、受信したデジタル放送を後述する監視部１０６及び切替部１０８に入力する。
【００２１】
本実施例に係る端末装置１００は、送受信部１０４を有する。送受信部１０４は、後述する基地局装置２００により送信されたデジタル放送に対応するデジタルデータを受信する。送受信部１０４は、受信したデジタルデータを切替部１０８に入力する。
【００２２】
本実施例に係る端末装置１００は、監視部１０６を有する。監視部１０６は、デジタルチューナ１０２により入力されたデジタル放送に基づいて、デジタルチューナ１０２においてデジタル放送の受信が行われているかを監視する。例えば、監視部１０６は、回線の切断が行われたかの監視を行う。具体的には、監視部１０６は、デジタルチューナ１０２におけるデジタル放送の受信電界強度を監視するようにしてもよい。この場合、受信電界強度が、デジタル放送を視聴できると想定される閾値未満となった場合に、回線の切断が行われたと判断するようにしてもよい。また、監視部１０６は、回線の切断が行われた後にも、継続して、デジタルチューナ１０２においてデジタル放送の受信が行われているかを監視する。例えば、監視部１０６は、回線が復帰したかを監視する。例えば、受信電界強度が、デジタル放送を視聴できると想定される閾値以上となった場合に、回線の復帰が行われたと判断するようにしてもよい。監視部１０６は、回線の切断又は回線の復帰を検出した場合、回線切断又は回線復帰を切替部１０８に通知する。
【００２３】
本実施例に係る端末装置１００は、切替部１０８を有する。切替部１０８は、デジタルチューナ１０２により受信されたデジタル放送及び／又は送受信部１０４により受信されたデジタルデータを後述する再生部１１２に入力する。
【００２４】
切替部１０８が、デジタルチューナ１０２により受信されたデジタル放送を再生部１１２に入力している場合について説明する。この場合に、監視部１０６により回線切断が通知された場合には、切替部１０８は、後述する要求信号生成部１１０に対して、デジタルデータを要求する信号（以下、デジタルデータ要求信号）を生成するように命令する。そして、切替部１０８は、送受信部１０４により入力されたデジタルデータを再生部１１２に入力する。
【００２５】
切替部１０８が、送受信部１０４により受信されたデジタルデータを再生部１１２に入力している場合について説明する。この場合に、後述するコンテンツ中断検出部１１４によりコンテンツが中断されたことが通知された場合には、切替部１０８は、要求信号生成部１１０に対して、コンテンツが中断されたことを示す信号（以下、コンテンツ中断信号と呼ぶ）を生成するように命令する。そして、切替部１０８は、送受信部１０４により入力されたデジタルデータを再生部１１２に入力する。また、この場合に、監視部１０６により回線復帰が通知された場合には、切替部１０８は、デジタルチューナ１０２により入力されたデジタル放送を再生部１１２に入力する。
【００２６】
本実施例に係る端末装置１００は、再生部１１２を有する。再生部１１２は、切替部１０８により入力されたデジタル放送及び／又はデジタルデータの再生を行う。
【００２７】
本実施例に係る端末装置１００は、要求信号生成部１１０を有する。要求信号生成部１１０は、切替部１０８による命令に従って、デジタルデータ要求信号を生成する。デジタルデータ要求信号には、放送チャネル及びデジタルチューナ１０２により受信が切断された時刻を示す情報が含まれるようにしてもよい。また、要求信号生成部１１０は、切替部１０８による命令に従って、コンテンツ中断信号を生成する。コンテンツ中断信号には、コンテンツの中断が検出されたことを示す情報が含まれるようにしてもよい。また、要求信号生成部１１０は、切替部１０８による命令に従って、デジタルデータの送信を停止させるためのデジタルデータ送信停止信号を生成する。要求信号生成部１１０において生成された信号は、送受信部１０４により、当該端末装置１００の位置するエリアをカバーする基地局装置２００に送信される。
【００２８】
本実施例に係る端末装置１００は、コンテンツ中断検出部１１４を有する。コンテンツ中断検出部１１４は、再生部１１２により再生されているデジタルデータに基づいて、該再生されているデジタルデータにおいて、コンテンツ以外のデジタルデータが再生されたことを検出する。例えば、コンテンツ以外のデジタルデータには、ＣＭ放送に対応するデジタルデータが含まれる。例えば、コンテンツ中断検出部１１４は、デジタル放送の放送時間が既知である場合には、コンテンツ以外のデジタルデータが再生される時間に基づいて、コンテンツ以外のデジタルデータの再生が開始されるのを検出するようにしてもよい。
【００２９】
また、例えば、コンテンツ中断検出部１１４は、放送番組中の音声をサーチし、該音声に基づいて、コンテンツ以外のデジタルデータを検出するようにしてもよい。例えば、コンテンツ中断検出部１１４は、放送番組中の音声をサーチし、該音声が急激に変化する個所を検出し、コンテンツ以外のデジタルデータの再生が開始された個所としてもよい。
【００３０】
また、例えば、コンテンツ中断検出部１１４は、放送番組中の映像をサーチし、該映像に基づいて、コンテンツ以外のデジタルデータを検出するようにしてもよい。例えば、コンテンツ中断検出部１１４は、放送番組中の映像をサーチし、該映像が途切れた個所を検出し、コンテンツ以外のデジタルデータの再生が開始された個所としてもよい。
【００３１】
また、例えば、デジタル放送に対応するデジタルデータに含まれるコンテンツのデジタルデータ及び／又はコンテンツ以外のデジタルデータに、それぞれコンテンツのデジタルデータであることを示すラベル及び／又はコンテンツ以外のデジタルデータであることを示すラベルを付加するようにしてもよい。例えば、デジタル放送に対応するデジタルデータに、コンテンツ以外のデジタルデータであることを示す制御ビットを付加するようにしてもよい。この場合、コンテンツ中断検出部１１４は、デジタルデータに付加されたラベルを検出することにより、コンテンツ以外のデジタルデータの再生が開始されたことを検出する。
【００３２】
本実施例に係るシステムは、無線通信装置としての基地局装置２００を有する。基地局装置２００は、後述するコンテンツ配信装置３００により入力されたデジタル放送を、端末装置１００に送信する。
【００３３】
本実施例に係る基地局装置２００は、送受信部２０２を有する。送受信部２０２は、端末装置１００により送信されたデジタルデータ要求信号、コンテンツ中断信号及びデジタルデータ送信停止信号を受信する。送受信部２０２は、受信したデジタルデータ要求信号、コンテンツ中断信号及びデジタルデータ送信停止信号を後述する遅延時間制御部２０４に入力する。また、送受信部２０２は、デジタル放送に対応するデジタルデータを送信する。
【００３４】
本実施例に係る基地局装置２００は、遅延時間制御部２０４を有する。遅延時間制御部２０４は、送受信部２０２により入力されたデジタルデータ要求信号に基づいて、端末装置１００に送信するデジタルデータの遅延時間を求める。例えば、遅延時間制御部２０４は、コンテンツ配信装置３００により送信されるデジタル放送に対する端末装置１００に送信するデジタルデータの遅延時間を求める。そして、遅延時間制御部２０４は、遅延時間を示す情報を後述する送信制御部２０６に入力する。例えば、遅延時間制御部２０４は、デジタルデータ要求信号に含まれるデジタルチューナ１０２において回線が切断された時刻を示す情報及び該デジタルデータ要求信号が当該基地局装置２００において受信された時刻に基づいて、遅延時間を求めるようにしてもよい。さらに、遅延時間制御部２０４は、当該基地局装置２００における処理時間に基づいて、遅延時間を求めるようにしてもよい。さらに、遅延時間制御部２０４は、当該基地局装置２００と端末装置１００との間の回線品質に基づいて、遅延時間を求めるようにしてもよい。このようにすることにより、端末装置が受信していたデジタル放送と連続するように、デジタルデータに対する遅延時間を制御することができる。
【００３５】
また、遅延時間制御部２０４は、送受信部２０２により入力されたコンテンツ中断信号に基づいて、端末装置１００に送信するデジタルデータの遅延時間の再検討を行う。例えば、遅延時間制御部２０４は、コンテンツ配信装置３００により送信されるデジタル放送に対する端末装置１００に送信するデジタルデータの遅延時間の再検討を行う。そして、遅延時間制御部２０４は、遅延時間を示す情報を後述する送信制御部２０６に入力する。例えば、遅延時間制御部２０４は、コンテンツ蓄積部２０８に蓄積されたデジタルデータに基づいて、該コンテンツ以外のデジタルデータの継続時間を推定する。そして、遅延時間制御部２０４は、現在設定されている遅延時間と該継続時間とを比較し、該比較結果に基づいて、現在の遅延時間を短縮する。例えば、遅延時間制御部２０４は、現在設定されている遅延時間と該継続時間とを比較し、現在設定されている遅延時間が継続時間以下である場合、新たな遅延時間を零とする。また、遅延時間制御部２０４は、現在設定されている遅延時間が継続時間超である場合、現在の遅延時間から該継続時間を短縮した値を新たな遅延時間とする。そして、遅延時間制御部２９４は、新たな遅延時間を示す情報を送信制御部２０６に入力する。
【００３６】
本実施例に係る基地局装置２００は、送信制御部２０６を有する。送信制御部２０６は、コンテンツ蓄積部に蓄積されたデジタル放送に対応するデジタルデータを、入力された遅延時間に従って送信する。例えば、送信制御部２０６は、デジタルデータを含むパケットを生成し、送信する。
【００３７】
本実施例に係る基地局装置２００は、インタフェース２１０を有する。インタフェース２１０は、コンテンツ配信装置３００と当該基地局装置２００との間を接続するためのインタフェースである。コンテンツ配信装置３００と当該基地局装置２００との間は、無線により接続されてもよいし、有線により接続されてもよい。図３に示される例では、有線により接続される。
【００３８】
本実施例に係る基地局装置２００は、コンテンツ蓄積部２０８を有する。コンテンツ蓄積部２０８は、コンテンツ配信装置３００により送信されたデジタル放送に対応するデジタルデータを蓄積する。
【００３９】
本実施例に係るシステムは、コンテンツ配信装置３００を有する。コンテンツ配信装置３００は、デジタル放送を配信する。コンテンツ配信装置３００により送信されたデジタル放送は、端末装置１００に受信される。また、コンテンツ配信装置３００は、デジタル放送と同様のデジタルデータを基地局装置２００に送信する。このようにすることにより、デジタル放送の受信手段を有する端末装置は、コンテンツ配信装置３００により送信されるデジタル放送と同様のデジタル放送を、基地局装置２００に送信されるデジタルデータを受信することにより視聴できる。
【００４０】
本実施例に係るコンテンツ配信装置３００は、送受信部３０２を有する。送受信部３０２は、端末装置１００に対して、デジタル放送を送信する。例えば、電波塔により送信されるようにしてもよい。
【００４１】
本実施例に係るコンテンツ配信装置３００は、インタフェース３０８を有する。インタフェース３０８は、当該コンテンツ配信装置３００と基地局装置２００との間を接続するためのインタフェースである。
【００４２】
本実施例に係るコンテンツ配信装置３００は、コンテンツ蓄積部３０４を有する。コンテンツ蓄積部３０４は、デジタル放送を蓄積する。例えば、コンテンツ蓄積部３０４は、配信するコンテンツを一時的に蓄積する。
【００４３】
本実施例に係るコンテンツ配信装置３００は、送信制御部３０６を有する。送信制御部３０６は、コンテンツ蓄積部３０４に蓄積されたコンテンツを端末装置１００に送信する制御を行う。また、送信制御部３０６は、コンテンツ蓄積部３０４に蓄積されたコンテンツを基地局装置２００に送信する制御を行う。
【００４４】
本実施例に係るデジタル放送受信システムの動作について、図４−図６を参照して説明する。
【００４５】
端末装置１００は、デジタルチューナ１０２によりデジタル放送を受信する（ステップＳ４０２）。
【００４６】
端末装置１００は、回線切断を検出したかを判断する（ステップＳ４０４）。例えば、監視部１０６は、デジタルチューナ１０２においてデジタル放送の受信が行われているかを判断する。例えば、監視部１０６は、受信電界強度に基づいて判断するようにしてもよい。
【００４７】
回線切断を検出しない場合（ステップＳ４０４：ＮＯ）、ステップＳ４０２に戻る。端末装置１００は、デジタル放送の受信を継続する。一方、回線切断を検出した場合（ステップＳ４０４：ＹＥＳ）、端末装置１００は、受信していたデジタル放送のチャネルを示す情報（以下、デジタル放送チャネル情報と呼ぶ）と、回線が切断された時刻（以下、回線切断時刻情報と呼ぶ）を記録する（ステップＳ４０６）。例えば、監視部１０６は、回線切断を検出した場合には、回線切断検出信号を切替部１０８に入力する。切替部１０８は、監視部１０６により回線切断検出信号が入力された場合、デジタル放送チャネル情報と、回線切断時刻情報を記録する。例えば、図５及び図６に示す例では、ある時間から３５秒経過後に、端末装置１００はデジタル放送の回線切断を検出する。
【００４８】
端末装置１００は、デジタルデータ要求信号を基地局装置２００に送信する（ステップＳ４０８）。例えば、切替部１０８は、要求信号生成部１１０に対して、記録したデジタル放送チャネル情報と、回線切断時刻情報とを入力する。そして、切替部１０８は、要求信号生成部１１０に対して、デジタルデータ要求信号を生成するように命令する。要求信号生成部１１０は、切替部１０８による命令に従って、デジタルデータ要求信号を生成し、基地局装置２００に送信する。このデジタルデータ要求信号には、デジタル放送チャネル情報と、回線切断時刻情報とが含まれる。図５及び図６に示す例では、ある時間から３５秒経過後に、端末装置１００はデジタルデータ要求信号を送信する。
【００４９】
基地局装置２００は、端末装置１００により送信されたデジタルデータ要求信号を受信する（ステップＳ４１０）。例えば、送受信部２０２は、デジタルデータ要求信号を受信し、該デジタルデータ要求信号を遅延時間制御部２０４に入力する。
【００５０】
基地局装置２００は、遅延時間を検討する（ステップＳ４１２）。例えば、遅延時間制御部２０４は、入力されたデジタルデータ要求信号に基づいて、該デジタルデータ要求信号が当該基地局装置２００において受信された時刻と、該デジタルデータ要求信号に含まれる回線切断時刻情報に基づいて、端末装置１００に送信するデジタルデータの遅延時間を求める。遅延時間制御部２０４は、求めた遅延時間を送信制御部２０６に入力する。
【００５１】
基地局装置２００は、遅延のないデータを送信できるかを判断する（ステップＳ４１４）。例えば、送信制御部２０６は、入力された遅延時間に基づいて、遅延のないデータを送信できるかを判断する。例えば、遅延時間が零である場合には、遅延のないデータを送信できると判断する。また、例えば、遅延時間が零以外である場合には、遅延のないデータを送信できないと判断する。
【００５２】
遅延のないデータを送信できると判断した場合（ステップＳ４１４：ＹＥＳ）、基地局装置２００は、遅延のないデータを送信する（ステップＳ４３４）。例えば、送信制御部２０６は、コンテンツ蓄積部２０８からデジタルデータを取り出し、該取り出したデジタルデータを遅延させずに、送受信部２０２を介して送信する。一方、遅延のないデータを送信できないと判断した場合（ステップＳ４１４：ＮＯ）、基地局装置２００は、遅延データを送信する（ステップＳ４１６）。例えば、送信制御部２０６は、コンテンツ蓄積部２０８からデジタルデータを取り出し、該取り出したデジタルデータを遅延させて、送受信部２０２を介して送信する。例えば、図５及び図６には、端末装置１００からデジタルデータ要求信号が送信されてから基地局装置２００において該デジタルデータ要求信号が受信されるまでの時間と、基地局装置２００における該デジタルデータ要求信号に対する処理時間と、基地局装置２００からデジタルデータが送信されてから端末装置１００において該デジタルデータが受信されるまでの時間が１０秒である場合が示される。図５及び図６には、端末装置１００において、デジタルデータが受信されてから最初に再生されるまでの時間が５秒である場合について示される。この場合、基地局装置２００からは、基地局装置２００における該デジタルデータ要求信号に対する処理時間と、基地局装置２００からデジタルデータが送信されてから端末装置１００において該デジタルデータが受信されるまでの時間と、端末装置１００において、デジタルデータが受信されてから最初に再生されるまでの時間との和である１５秒遅延させたデジタルデータが送信される。
【００５３】
端末装置１００は、基地局装置２００により送信された遅延データを受信する。そして、端末装置１００は、回線切断されたことにより再生されていないデジタル放送に対応するデジタルデータから再生する。言い換えれば、端末装置１００は、受信していたデジタル放送に連続して、デジタルデータの再生を行う。基地局装置２００からは、端末装置が受信していたデジタル放送に連続するデジタルデータが送信される。
【００５４】
また、端末装置１００は、再生されたデジタルデータを監視する（ステップＳ４１８）。例えば、送受信部１０４は、基地局装置２００により送信されたデジタルデータを受信する。そして、送受信部１０４は、受信したデジタルデータを切替部１０８に入力する。切替部１０８は、入力されたデジタルデータを再生部１１２に入力する。再生部１１２は、入力されたデジタルデータの再生を行う。コンテンツ中断検出部１１４は、再生されているデジタルデータに基づいて、コンテンツ以外のデジタルデータを検出する。
【００５５】
端末装置１００は、再生されたデジタルデータに基づいて、コンテンツの中断を検出する（ステップＳ４２０）。例えば、コンテンツ中断検出部１１４は、再生部１１２において再生されているデジタルデータに基づいて、コンテンツの中断を検出する。例えば、コンテンツの中断には、ＣＭ放送が含まれる。例えば、図５及び図６に示す例では、端末装置１００は、６０秒に相当するデジタルデータを受信している際に、コンテンツの中断を検出する。
【００５６】
端末装置１００は、デジタル放送の受信が可能であるかを判断する（ステップＳ４２２）。例えば、監視部１０６は、回線が復帰したかを判断する。
【００５７】
デジタル放送の受信が可能であると判断された場合（ステップＳ４２２：ＹＥＳ）、携帯端末１００は、デジタル放送でコンテンツの中断が生じたかを判断する（ステップＳ４２４）。例えば、コンテンツ中断検出部１１４は、再生部１１２において再生されているデジタル放送に基づいて、コンテンツの中断を検出する。ここで、再生部１１２には、デジタルチューナ１０２において受信されたデジタル放送と、送受信部１０４において受信されたデジタルデータが入力される。例えば、図５に示す例では、端末装置１００は、５０秒のデジタルデータを受信している際にデジタルチューナの１０２の回線復帰を検出する。そして、端末装置１００は、６０秒のデジタルデータを再生する際にコンテンツ以外のデジタルデータであることを検出する。
【００５８】
コンテンツ中断が生じていると判断した場合（ステップＳ４２４：ＹＥＳ）、携帯端末１００は、デジタル放送に回線を切り替える（ステップＳ４４０）。例えば、コンテンツ中断検出部１１４は、コンテンツの中断を検出した場合、コンテンツの中断を検出したことを切替部１０８に通知する。切替部１０８は、デジタルチューナ１０２により受信されたデジタル放送を再生部１１２に入力する。図５及び図６に示す例では、端末装置１００は、６０秒のデジタルデータの再生を行う際に、コンテンツ以外のデジタルデータであることを検出する。そして、端末装置１００は、デジタル放送においてもコンテンツ以外のデジタル放送が受信されていることを検出する。ここで、デジタル放送は７５秒のデータに相当する。この場合、端末装置１００は、デジタル放送再生方式に切り替える。
【００５９】
ステップＳ４２２においてデジタル放送の受信が可能でないと判断された場合（ステップＳ４２２：ＮＯ）及びステップＳ４２４においてコンテンツ中断が生じていないと判断した場合（ステップＳ４２４：ＮＯ）、端末装置１００は、コンテンツ中断信号を送信する（ステップＳ４２６）。例えば、切替部１０８は、コンテンツ中断検出部１１４によりコンテンツの中断を検出したことを通知された場合、要求信号生成部１１０に対して、コンテンツ中断信号を生成する命令を行う。要求信号生成部１１０は、コンテンツ中断検出部１１４による命令に従って、コンテンツ中断信号を生成し、送受信部１０４を介して、基地局装置２００に送信する。図６に示す例では、端末装置１００は、６０秒に相当するデジタルデータを再生している際に、コンテンツ中断信号を送信する。
【００６０】
基地局装置２００は、端末装置１００により送信されたコンテンツ中断信号を受信する（ステップＳ４２８）。例えば、送受信部２０２は、コンテンツ中断信号を受信する。そして、送受信部２０２は、受信したコンテンツ中断信号を遅延時間制御部２０４に入力する。
【００６１】
基地局装置２００は、コンテンツ中断信号に基づいて、遅延時間の検討を行う（ステップＳ４３０）。例えば、遅延時間制御部２０４は、入力されたコンテンツ中断信号に基づいて、当該端末装置１００に送信しているデジタルデータと、コンテンツ配信装置３００により入力されるデジタルデータとを比較し、該比較結果に基づいて遅延時間を求める。例えば、遅延時間制御部２０４は、コンテンツ蓄積部２０８に蓄積されたデジタルデータに基づいて、該コンテンツ以外のデジタルデータの継続時間を推定する。そして、遅延時間制御部２０４は、現在設定されている遅延時間と該継続時間とを比較し、該比較結果に基づいて、現在の遅延時間を短縮する。例えば、遅延時間制御部２０４は、現在設定されている遅延時間と該継続時間とを比較し、現在設定されている遅延時間が継続時間以下である場合、新たな遅延時間を零とする。また、遅延時間制御部２０４は、現在設定されている遅延時間が継続時間超である場合、現在の遅延時間から該継続時間を短縮した値を新たな遅延時間とする。
【００６２】
端末装置１００は、当該端末装置１００に対して遅延の無いデジタルデータの送信が可能であるかを判断する（ステップＳ４３２）。例えば、送信制御部２０６は、遅延時間制御部２０４により入力される新たな遅延時間に基づいて、遅延の無いデジタルデータの送信が可能であるかを判断する。図６に示す例では、現在設定されている遅延時間が継続時間以下であるため、遅延のないデジタルデータの送信が可能であると判断される。
【００６３】
遅延の無いデジタルデータの送信が可能でない場合（ステップＳ４３２：ＮＯ）、ステップＳ４１６に戻る。端末装置１００は、ステップＳ４３０において求められた遅延時間でデジタルデータを送信する。一方、遅延のないデジタルデータの送信が可能である場合（ステップＳ４３２：ＹＥＳ）、端末装置１００は、遅延のないデジタルデータを送信する（ステップＳ４３４）。例えば、送信制御部２０６は、コンテンツ蓄積部２０８に蓄積されたデジタルデータを、遅延させずに送信する。
【００６４】
無線端末１００は、基地局装置２００により送信された遅延の無いデジタルデータを受信する（ステップＳ４３６）。
【００６５】
端末装置１００は、デジタル放送の受信が可能であるかを判断する（ステップＳ４３８）。例えば、監視部１０６は、デジタルチューナ１０２により入力されたデジタル放送に基づいて、回線が復帰したかを判断する。図５に示す例では、５０秒のデジタルデータの再生が行われる際に、デジタルチューナ１０２における回線復帰が検出される。図６に示す例では、１１０秒のデジタルデータの再生が行われる際に、デジタルチューナ１０２における回線復帰が検出される。
【００６６】
デジタル放送の受信が可能でないと判断された場合（ステップＳ４３８：ＮＯ）、ステップＳ４３６に戻る。携帯端末１００は、遅延の無いデジタルデータの受信を継続する。一方、デジタル放送の受信が可能であると判断された場合（ステップＳ４３８：ＹＥＳ）、携帯端末１００は、デジタル放送再生方式に切り替える（ステップＳ４４０）。例えば、切替部１０８は、デジタルチューナ１０２により受信されたデジタル放送を再生部１１２に入力する。図５に示す例では、６０秒のデジタルデータの再生が行われる際に、デジタルチューナ１０２において受信されたデジタル放送の再生が開始される。図６に示す例では、１１０秒のデジタルデータの再生が行われる際に、デジタルチューナ１０２において受信されたデジタル放送の再生が開始される。
【００６７】
携帯端末１００は、デジタルデータ送信停止信号を、基地局装置２００に送信する（ステップＳ４４２）。例えば、切替部１０８は、要求信号生成部１１０に、デジタルデータ送信停止信号を生成するように命令する。要求信号生成部１１０は、切替部１０８による命令に従って、デジタルデータ送信停止信号を生成し、送受信部１０４を介して、基地局装置２００に送信する。図６に示す例では、端末装置１００は、１１０秒のデジタルデータの再生が行われる際に、デジタルデータ停止要求信号を送信する。
【００６８】
基地局装置２００は、携帯端末１００により送信されたデジタルデータ送信停止信号を受信する。そして、基地局装置２００は、受信したデジタルデータ送信停止信号に基づいて、デジタルデータの送信を停止する。例えば、送受信部２０２は、端末装置１００により送信されたデジタルデータ送信停止信号を受信し、該デジタルデータ送信停止信号を送信制御部２０６に入力する。送信制御部２０６は、入力されたデジタルデータ送信停止信号に基づいて、デジタルデータの送信を停止する。
【００６９】
本実施例によれば、携帯端末は、デジタルチューナーにおいてデジタル放送の回線が切断されたことにより、基地局装置を介してデジタル放送に対応するデジタルデータを受信することができる。携帯端末からデジタルデータ要求信号が送信された場合に、基地局装置はリアルタイムから遅延したデジタル放送データを送信することができる。このため、携帯端末は基地局装置により送信されるデジタルデータを受信し、切断した時点からモニタを再開することができる。このようにすることにより、デジタルチューナによりデジタル放送を受信し該デジタル放送を再生する方式から、基地局装置を介してデジタル放送に対応するデジタルデータを受信し該デジタルデータを再生する方式に切り替える際に生じる再生データの途切れ時間を短縮できる。その後、コンテンツ以外の再生が行われた際に、携帯端末は中断信号を送信することにより、基地局装置はリアルタイムのデジタル放送に近いデジタルデータを送信することができる。また、端末装置は、そのリアルタイムのデジタル放送に近いデジタルデータを監視する。また、携帯端末は、該コンテンツ以外のデジタルデータが送信される場合に、デジタル放送の回線が復帰していた場合には、デジタルチューナによりデジタル放送を受信し該デジタル放送を再生する方式に切り替えるようにしてもよい。
（第２の実施例）
本実施例に係るシステムについて説明する。本実施例に係るシステムは、図３を参照して説明したシステムと同様である。
【００７０】
本実施例に係る端末装置１００、基地局装置２００及びコンテンツ配信装置３００は、上述した実施例と同様である。本実施例に係るシステムでは、端末装置１００において、デジタルチューナ１０２が回線復帰を検出した場合の処理が異なる。
【００７１】
切替部１０８は、監視部１０６により回線復帰が通知された場合には、要求信号生成部１１０に対して、回線復帰信号を生成するように命令する。要求信号生成部１１０は、切替部１０８による命令に従って回線復帰信号を生成し、基地局装置２００に送信する。
【００７２】
基地局装置２００は、端末装置１００により送信された回線復帰信号に基づいて、遅延時間の再検討を行う。
【００７３】
本実施例に係るデジタル放送受信システムの動作について、図７−図１０を参照して説明する。
【００７４】
端末装置１００は、デジタルチューナ１０２によりデジタル放送を受信する（ステップＳ７０２）。
【００７５】
端末装置１００は、回線切断を検出したかを判断する（ステップＳ７０４）。例えば、監視部１０６は、デジタルチューナ１０２においてデジタル放送の受信が行われているかを判断する。例えば、監視部１０６は、受信電界強度に基づいて判断するようにしてもよい。
【００７６】
回線切断を検出しない場合（ステップＳ７０４：ＮＯ）、ステップＳ７０２に戻る。端末装置１００は、デジタル放送の受信を継続する。一方、回線切断を検出した場合（ステップＳ７０４：ＹＥＳ）、端末装置１００は、ユーザにデジタルデータ再生方式に切り替えるかを問い合わせる（ステップＳ７０６）。ユーザからデジタルデータ再生方式に切り替える操作が行われない場合（ステップＳ７０６：ＮＯ）、終了する。一方、ユーザからデジタルデータ再生方式に切り替える操作が行われた場合（ステップＳ７０６：ＹＥＳ）、端末装置１００は、受信していたデジタル放送チャネル情報と、回線切断時刻情報を記録する（ステップＳ７０８）。例えば、監視部１０６は、回線切断を検出した場合には、回線切断検出信号を切替部１０８に入力する。切替部１０８は、監視部１０６により回線切断検出信号が入力された場合、デジタル放送チャネル情報と、回線切断時刻情報を記録する。例えば、図１０に示す例では、ある時間から３５秒経過後に、端末装置１００はデジタル放送の回線切断を検出する。
【００７７】
端末装置１００は、デジタルデータ要求信号を基地局装置２００に送信する（ステップＳ７１０）。例えば、切替部１０８は、要求信号生成部１１０に対して、記録したデジタル放送チャネル情報と、回線切断時刻情報とを入力する。そして、切替部１０８は、要求信号生成部１１０に対して、デジタルデータ要求信号を生成するように命令する。要求信号生成部１１０は、切替部１０８による命令に従って、デジタルデータ要求信号を生成し、基地局装置２００に送信する。このデジタルデータ要求信号には、デジタル放送チャネル情報と、回線切断時刻情報とが含まれる。図１０に示す例では、ある時間から３５秒経過後に、端末装置１００はデジタルデータ要求信号を送信する。
【００７８】
基地局装置２００は、端末装置１００により送信されたデジタルデータ要求信号を受信する（ステップＳ７１２）。例えば、送受信部２０２は、デジタルデータ要求信号を受信し、該デジタルデータ要求信号を遅延時間制御部２０４に入力する。
【００７９】
基地局装置２００は、遅延時間を検討する（ステップＳ７１４）。例えば、遅延時間制御部２０４は、入力されたデジタルデータ要求信号に基づいて、該デジタルデータ要求信号が当該基地局装置２００において受信された時刻と、該デジタルデータ要求信号に含まれる回線切断時刻情報に基づいて、端末装置１００に送信するデジタルデータの遅延時間を求める。遅延時間制御部２０４は、求めた遅延時間を送信制御部２０６に入力する。
【００８０】
基地局装置２００は、遅延のないデータを送信できるかを判断する（ステップＳ７１６）。例えば、送信制御部２０６は、入力された遅延時間に基づいて、遅延のないデータを送信できるかを判断する。例えば、遅延時間が零である場合には、遅延のないデータを送信できると判断する。また、例えば、遅延時間が零以外である場合には、遅延のないデータを送信できないと判断する。
【００８１】
遅延のないデータを送信できると判断した場合（ステップＳ７１６：ＹＥＳ）、基地局装置２００は、遅延のないデータを送信する（ステップＳ７５２）。例えば、送信制御部２０６は、コンテンツ蓄積部２０８からデジタルデータを取り出し、該取り出したデジタルデータを遅延させずに、送受信部２０２を介して送信する。一方、遅延のないデータを送信できないと判断した場合（ステップＳ７１６：ＮＯ）、基地局装置２００は、遅延データを送信する（ステップＳ７１８）。例えば、送信制御部２０６は、コンテンツ蓄積部２０８からデジタルデータを取り出し、該取り出したデジタルデータを遅延させて、送受信部２０２を介して送信する。例えば、図１０には、端末装置１００からデジタルデータ要求信号が送信されてから基地局装置２００において該デジタルデータ要求信号が受信されるまでの時間と、基地局装置２００における該デジタルデータ要求信号に対する処理時間と、基地局装置２００からデジタルデータが送信されてから端末装置１００において該デジタルデータが受信されるまでの時間が１０秒である場合が示される。図１０には、端末装置１００において、デジタルデータが受信されてから最初に再生されるまでの時間が５秒である場合について示される。この場合、基地局装置２００からは１５秒遅延させたデジタルデータが送信される。
【００８２】
端末装置１００は、基地局装置２００により送信された遅延データを受信する。そして、端末装置１００は、回線切断されたことにより再生されていないデジタル放送に対応するデジタルデータから再生する。言い換えれば、端末装置１００は、受信していたデジタル放送に連続して、デジタルデータの再生を行う。基地局装置２００からは、端末装置１００が受信していたデジタル放送に連続するデジタルデータが送信される。
【００８３】
また、端末装置１００は、再生されたデジタルデータを監視する（ステップＳ７２０）。例えば、送受信部１０４は、基地局装置２００により送信されたデジタルデータを受信する。そして、送受信部１０４は、受信したデジタルデータを切替部１０８に入力する。切替部１０８は、入力されたデジタルデータを再生部１１２に入力する。再生部１１２は、入力されたデジタルデータの再生を行う。コンテンツ中断検出部１１４は、再生されているデジタルデータに基づいて、コンテンツ以外のデジタルデータを検出する。
【００８４】
端末装置１００は、デジタル放送の受信が可能であるかを判断する（ステップＳ７２２）。例えば、監視部１０６は、回線が復帰したかを判断する。
【００８５】
デジタル放送の受信が可能であると判断された場合（ステップＳ７２２：ＹＥＳ）、携帯端末１００は、デジタル放送再生方式に切り替えるかを問い合わせる（ステップＳ７２４）。デジタル放送再生方式に切り替える操作が行われた場合（ステップＳ７２４：ＹＥＳ）、デジタル放送再生方式に切り替える（ステップＳ７５８）。例えば、デジタルデータ再生方式により送信されてデジタルデータの遅延時間により生じるずれか生じてもかまわないと考えるユーザは、デジタル放送再生方式に切り替える操作を行う。一方、デジタル放送再生方式に切り替える操作が行われない場合（ステップＳ７２４：ＮＯ）、端末装置１００は、デジタルチューナ１０２において回線が復帰したことを示す回線復帰情報を、基地局装置２００に送信する（ステップＳ７２６）。例えば、切替部１０８は、監視部１０６により回線が復帰したことを通知される。切替部１０８は、要求信号生成部１１０に対して、回線復帰情報を生成する命令を行う。要求信号生成部１１０は、切替部１０８による命令に従って、回線復帰情報が含まれる回線復帰信号を生成し、基地局装置２００に送信する。図１０に示す例では、５０秒に相当するデジタルデータを受信している際に、デジタルチューナ１０２による回線復帰が検出され、デジタル放送再生方式に切り替える操作が行われなかったので、端末装置１００から回線復帰信号が基地局装置２００に送信される場合を示す。
【００８６】
基地局装置２００は、端末装置１００により送信された回線復帰信号を受信する(ステップＳ７２８)。
【００８７】
基地局装置２００は、遅延して送信されているデジタルデータにおいてコンテンツ以外のデジタルデータを検出する（ステップＳ７３０）。例えば、送信制御部２０６は、送信するデジタルデータに基づいて、コンテンツ以外のデジタルデータを検出するようにしてもよい。例えば、デジタル放送に対応するデジタルデータに、コンテンツ以外のデジタルデータであることを示す制御ビットを付加する。そして、送信制御部２０６は、デジタルデータに付加されたラベルを検出することにより、コンテンツ以外のデジタルデータの再生が開始されたことを検出するようにしてもよい。また、基地局装置２００において、デジタルデータを再生するようにし、再生データに基づいて検出するようにしてもよい。
【００８８】
基地局装置２００は、遅延時間とコンテンツ蓄積部２０８に蓄積されたコンテンツに基づいて、端末装置１００において、回線復帰させることができるかを検討する（ステップＳ７３２）。例えば、遅延時間制御部２０４は、コンテンツ蓄積部２０８に蓄積されたデジタルデータに基づいて、該コンテンツ以外のデジタルデータの継続時間を推定する。そして、遅延時間制御部２０４は、現在設定されている遅延時間と該継続時間とを比較し、該比較結果に基づいて、現在の遅延時間を短縮する。例えば、遅延時間制御部２０４は、現在設定されている遅延時間と該継続時間とを比較し、現在設定されている遅延時間が継続時間以下である場合、新たな遅延時間を零とする。この場合、遅延時間制御部２０４は、端末装置１００において、回線復帰させることができると判断する。図１０に示す例では、端末装置１００において、６０秒のデジタルデータが再生される際に、回線復帰できると判断される。
【００８９】
基地局装置２００は、端末装置１００において、回線復帰させることができるか否かを示すデジタル放送切替信号を送信する（ステップＳ７３４）。このデジタル放送切替信号には、デジタル放送に切り替えることができるか否かを示す情報が格納される。例えば、遅延時間制御部２０４は、新たな遅延時間が零である場合には、デジタル放送切替信号に切替ができることを示す情報を含めて送信する。また、例えば、遅延時間制御部２０４は、新たな遅延時間が零でない場合には、デジタル放送切替信号に切替ができないことを示す情報を含めて送信する。図１０に示す例では、端末装置１００において６０秒のデジタルデータが再生される際に、切替ができることを示す情報が含まれるデジタル放送切替信号を受信する。
【００９０】
基地局装置２００は、送信したデジタル放送切替信号は、切替ＯＫであるか切替ＮＧであるかを判断する（ステップＳ７３６）。
【００９１】
デジタル放送切替信号に切替できないことを示す情報が含まれる場合（ステップＳ７３６：ＮＧ）、ステップＳ７１８に戻る。基地局装置２００は、遅延データの送信を継続する。一方、デジタル放送切替信号に切替できることを示す情報が含まれる場合（ステップＳ７３６：ＯＫ）、基地局装置２００は、端末装置１００からデジタルデータ停止信号を受信した後に、デジタルデータの送信を停止する（ステップＳ７６２）。
【００９２】
端末装置１００は、ステップＳ７３４において送信されたデジタル放送切替信号を受信する（ステップＳ７３８）。
【００９３】
端末装置１００は、受信したデジタル放送切替信号は、切替できることを示す情報であるか切替できないことを示す情報であるかを判断する（ステップＳ７４０）。例えば、この処理は切替部１０８において行われる。
【００９４】
デジタル放送切替信号に切替できないことを示す情報が含まれる場合（ステップＳ７４０：ＮＧ）、ステップＳ７２０に戻る。端末装置１００は遅延データの受信を継続する。一方、デジタル放送切替信号に切替できることを示す情報が含まれる場合（ステップＳ７４０：ＯＫ）、端末装置１００は、デジタル放送再生方式に切り替える（ステップＳ７５８）。
【００９５】
ステップＳ７２２において、デジタル放送の受信が可能であると判断されない場合（ステップＳ７２２：ＮＯ）、携帯端末１００は、遅延データに基づいて、コンテンツ以外のデジタルデータを検出する（ステップＳ７４２）。
【００９６】
端末装置１００は、コンテンツ中断信号を送信する（ステップＳ７４４）。例えば、切替部１０８は、コンテンツ中断検出部１１４によりコンテンツの中断を検出したことを通知された場合、要求信号生成部１１０に対して、コンテンツ中断信号を生成する命令を行う。要求信号生成部１１０は、コンテンツ中断検出部１１４による命令に従って、コンテンツ中断信号を生成し、送受信部１０４を介して、基地局装置２００に送信する。
【００９７】
基地局装置２００は、端末装置１００により送信されたコンテンツ中断信号を受信する（ステップＳ７４６）。例えば、送受信部２０２は、コンテンツ中断信号を受信する。そして、送受信部２０２は、受信したコンテンツ中断信号を遅延時間制御部２０４に入力する。
【００９８】
基地局装置２００は、コンテンツ中断信号に基づいて、遅延時間の検討を行う（ステップＳ７４８）。例えば、遅延時間制御部２０４は、入力されたコンテンツ中断信号に基づいて、当該端末装置１００に送信しているデジタルデータと、コンテンツ配信装置３００により入力されるデジタルデータとを比較し、該比較結果に基づいて遅延時間を求める。例えば、遅延時間制御部２０４は、コンテンツ蓄積部２０８に蓄積されたデジタルデータに基づいて、該コンテンツ以外のデジタルデータの継続時間を推定する。そして、遅延時間制御部２０４は、現在設定されている遅延時間と該継続時間とを比較し、該比較結果に基づいて、現在の遅延時間を短縮する。例えば、遅延時間制御部２０４は、現在設定されている遅延時間と該継続時間とを比較し、現在設定されている遅延時間が継続時間以下である場合、新たな遅延時間を零とする。また、遅延時間制御部２０４は、現在設定されている遅延時間が継続時間超である場合、現在の遅延時間から該継続時間を短縮した値を新たな遅延時間とする。
【００９９】
端末装置１００は、当該端末装置１００に対して遅延の無いデジタルデータの送信が可能であるかを判断する（ステップＳ７５０）。例えば、送信制御部２０６は、遅延時間制御部２０４により入力される新たな遅延時間に基づいて、遅延の無いデジタルデータの送信が可能であるかを判断する。
【０１００】
遅延の無いデジタルデータの送信が可能でない場合（ステップＳ７５０：ＮＯ）、ステップＳ７１８に戻る。端末装置１００は、ステップＳ７４８において求められた遅延時間でデジタルデータを送信する。一方、遅延のないデジタルデータの送信が可能である場合（ステップＳ７５０：ＹＥＳ）、端末装置１００は、遅延のないデジタルデータを送信する（ステップＳ７５２）。例えば、送信制御部２０６は、コンテンツ蓄積部２０８に蓄積されたデジタルデータを、遅延させずに送信する。
【０１０１】
無線端末１００は、基地局装置２００により送信された遅延の無いデジタルデータを受信する（ステップＳ７５４）。
【０１０２】
端末装置１００は、デジタル放送の受信が可能であるかを判断する（ステップＳ７５６）。例えば、監視部１０６は、デジタルチューナ１０２により入力されたデジタル放送に基づいて、回線が復帰したかを判断する。
【０１０３】
デジタル放送の受信が可能でないと判断された場合（ステップＳ７５６：ＮＯ）、ステップＳ７５４に戻る。携帯端末１００は、遅延の無いデジタルデータの受信を継続する。一方、デジタル放送の受信が可能であると判断された場合（ステップＳ７５６：ＹＥＳ）、携帯端末１００は、デジタル放送に回線を切り替える（ステップＳ７５８）。例えば、切替部１０８は、デジタルチューナ１０２により受信されたデジタル放送を再生部１１２に入力する。
【０１０４】
携帯端末１００は、デジタルデータ送信停止信号を、基地局装置２００に送信する（ステップＳ７６０）。例えば、切替部１０８は、要求信号生成部１１０に、デジタルデータ送信停止信号を生成するように命令する。要求信号生成部１１０は、切替部１０８による命令に従って、デジタルデータ送信停止信号を生成し、送受信部１０４を介して、基地局装置２００に送信する。
【０１０５】
基地局装置２００は、携帯端末１００により送信されたデジタルデータ送信停止信号を受信する。そして、基地局装置２００は、受信したデジタルデータ送信停止信号に基づいて、デジタルデータの送信を停止する。例えば、送受信部２０２は、端末装置１００により送信されたデジタルデータ送信停止信号を受信し、該デジタルデータ送信停止信号を送信制御部２０６に入力する。送信制御部２０６は、入力されたデジタルデータ送信停止信号に基づいて、デジタルデータの送信を停止する（ステップＳ７６２）。
【０１０６】
本実施例によれば、携帯端末は、デジタルチューナーにおいてデジタル放送の回線が切断されたことにより、基地局装置を介してデジタル放送に対応するデジタルデータを受信することができる。携帯端末からデジタルデータ要求信号が送信された場合に、基地局装置はリアルタイムから遅延したデジタル放送データを送信することができる。このため、携帯端末は基地局装置により送信されるデジタルデータを受信し、切断した時点からモニタを再開することができる。このようにすることにより、デジタルチューナによりデジタル放送を受信し該デジタル放送を再生する方式から、基地局装置を介してデジタル放送に対応するデジタルデータを受信し該デジタルデータを再生する方式に切り替える際に生じる再生データの途切れ時間を短縮できる。その後、コンテンツ以外の再生が行われた際に、携帯端末は中断信号を送信することにより、基地局装置はリアルタイムのデジタル放送に近いデジタルデータを送信することができる。また、端末装置は、そのリアルタイムのデジタル放送に近いデジタルデータを監視する。また、基地局装置は、該コンテンツ以外のデジタルデータが送信される期間だけ、リアルタイムのデータに近づける。そして、遅延時間がゼロとなった場合に、回線復帰していた場合には、携帯端末は、デジタルチューナによりデジタル放送を受信し、該デジタル放送を再生する方式に切り替える。
【０１０７】
以上の実施例を含む実施形態に関し、更に、以下の付記を開示する。
【０１０８】
（付記１）
配信されるデジタル放送に対応するデジタルデータを蓄積する手段と、
前記デジタルデータを蓄積する手段に蓄積されたデジタルデータを、端末装置に送信する手段と、
前記送信する手段により送信されるデジタルデータの送信遅延時間を制御する手段と
を有し、
前記送信遅延時間を制御する手段は、前記端末装置により送信された要求信号に基づいて、当該端末装置が受信していたデジタル放送と連続するように、前記デジタルデータに対する遅延時間を制御する基地局装置。
（付記２）
付記１に記載の基地局装置において、
前記要求信号には、デジタル放送の回線が切断された時刻を示す情報が含まれ、
前記送信遅延時間を制御する手段は、前記要求信号を受信した時刻と、前記要求信号に含まれるデジタル放送の回線が切断された時刻を示す情報とに基づいて、前記デジタルデータに対する遅延時間を求める基地局装置。
（付記３）
付記１又は２に記載の基地局装置において、
前記端末装置は、当該基地局装置に、受信したデジタルデータに基づいて、コンテンツ以外のデジタルデータを検出したことを示すコンテンツ中断信号を送信し、
前記送信遅延時間を制御する手段は、前記端末装置により通知されたコンテンツ中断信号に基づいて該コンテンツ以外のコンテンツが提供される時間を求め、該コンテンツ以外のコンテンツが提供される時間に基づいて、遅延時間を制御する基地局装置。
（付記４）
付記３に記載の基地局装置において、
前記コンテンツ以外のコンテンツには、ＣＭが含まれる基地局装置。
（付記５）
付記１ないし４いずれか１項に記載の基地局装置において、
前記送信する手段は、端末装置により送信された停止信号に基づいて、デジタルデータの送信を停止する基地局装置。
（付記６）
デジタル放送を受信する手段と基地局装置により送信される前記デジタル放送に対応するデジタルデータを受信する手段とを切り替え、再生する手段と、
前記デジタル放送を受信する手段における受信状態を監視する手段と、
前記監視する手段において、前記デジタル放送を受信できないと判断された場合に、前記基地局装置にデジタルデータの要求信号を送信する手段と
を有する端末装置と、
前記デジタル放送に対応するデジタルデータを蓄積する手段と、
前記デジタルデータを蓄積する手段に蓄積されたデジタルデータを、前記端末装置に送信する手段と、
前記送信する手段により送信されたデジタルデータの送信遅延時間を制御する手段と
を有する基地局装置と
を有し、
前記送信遅延時間を制御する手段は、前記端末装置による要求に基づいて、当該端末装置が受信していたデジタル放送と連続するように、前記デジタルデータに対する遅延時間を制御するデジタル放送受信システム。
（付記７）
付記６に記載のデジタル放送受信システムにおいて、
前記要求信号には、デジタル放送の回線が切断された時刻を示す情報が含まれ、
前記送信遅延時間を制御する手段は、前記要求信号を受信した時刻と、前記要求信号に含まれるデジタル放送の回線が切断された時刻を示す情報とに基づいて、前記デジタルデータに対する遅延時間を求めるデジタル放送受信システム。
（付記８）
付記６又は７に記載のデジタル放送受信システムにおいて、
前記端末装置は、
受信したデジタルデータに基づいて、コンテンツ以外のデジタルデータを検出する手段と、
前記検出する手段において、コンテンツ以外のデジタルデータが検出された場合に、コンテンツが中断されたことを示すコンテンツ中断信号を送信する手段と
を有し、
前記送信遅延時間を制御する手段は、前記端末装置により通知されたコンテンツ中断信号に基づいて該コンテンツ以外のコンテンツが提供される時間を求め、該コンテンツ以外のコンテンツが提供される時間に基づいて、遅延時間を制御するデジタル放送受信システム。
（付記９）
付記８に記載のデジタル放送受信システムにおいて、
前記検出する手段は、前記コンテンツ以外のデジタルデータが再生される時間に基づいて、コンテンツ以外のデジタルデータを検出するデジタル放送受信システム。
（付記１０）
付記８に記載のデジタル放送受信システムにおいて、
前記検出する手段は、放送番組中の音声及び／又は映像をサーチし、該音声及び／又は映像に基づいて、コンテンツ以外のデジタルデータを検出するデジタル放送受信システム。
（付記１１）
付記８に記載のデジタル放送受信システムにおいて、
前記検出する手段は、コンテンツのデジタルデータであることを示すラベル及び／又はコンテンツ以外のデジタルデータであることを示すラベルに基づいて、コンテンツ以外のデジタルデータを検出するデジタル放送受信システム。
（付記１２）
端末装置が、デジタル放送を受信する手段における受信状態を監視するステップと、
前記端末装置が、前記監視するステップにおいて、前記デジタル放送を受信できないと判断された場合に、基地局装置にデジタルデータの要求信号を送信するステップと、
前記基地局装置が、前記端末装置により送信された要求信号を受信するステップと、
前記基地局装置が、前記デジタル放送に対応するデジタルデータを蓄積するステップと、
前記基地局装置が、前記デジタルデータを蓄積するステップにおいて蓄積されたデジタルデータの送信遅延時間を制御するステップと、
前記基地局装置が、前記デジタルデータを、前記端末装置に送信するステップと
を有し、
前記送信遅延時間を制御するステップは、前記端末装置により送信された要求信号に基づいて、当該端末装置が受信していたデジタル放送と連続するように、前記デジタルデータに対する遅延時間を制御するデジタル放送送信方法。
【図面の簡単な説明】
【０１０９】
【図１】デジタル放送の回線切り替えを示すフロー図である。
【図２】デジタル放送の回線切り替えを示す説明図である。
【図３】一実施例に係るデジタル放送受信システムを示す部分ブロック図である。
【図４】一実施例に係るデジタル放送受信システムの処理を示すフロー図である。
【図５】一実施例に係るデジタル放送受信システムの処理を示す説明図である。
【図６】一実施例に係るデジタル放送受信システムの処理を示す説明図である。
【図７】一実施例に係るデジタル放送受信システムの処理を示すフロー図である。
【図８】一実施例に係るデジタル放送受信システムの処理を示すフロー図である。
【図９】一実施例に係るデジタル放送受信システムの処理を示すフロー図である。
【図１０】一実施例に係るデジタル放送受信システムの処理を示す説明図である。
【符号の説明】
【０１１０】
１００  端末装置
１０２  デジタルチューナ
１０４  送受信部
１０６  監視部
１０８  切替部
１１０  要求信号生成部
１１２  再生部
１１４  コンテンツ中断検出部
２００  基地局装置
２０２  送受信部
２０４  遅延時間制御部
２０６  送信制御部
２０８  コンテンツ蓄積部
２１０  インタフェース（Ｉ／Ｆ）
３００  コンテンツ配信装置
３０２  送受信部
３０４  コンテンツ蓄積部
３０６  送信制御部
３０８  インタフェース
【図１】
2009272686.tif 000003
【図２】
2009272686.tif 000004
【図３】
2009272686.tif 000005
【図４】
2009272686.tif 000006
【図５】
2009272686.tif 000007
【図６】
2009272686.tif 000008
【図７】
2009272686.tif 000009
【図８】
2009272686.tif 000010
【図９】
2009272686.tif 000011
【図１０】
2009272686.tif 000012